(57)【要約】【課題】足場材の支柱への連結を簡単かつ確実に実施できるとともに、連結後の安定性をより向上させることができる仮設足場用連結構造体を提供する。【解決手段】本体部材２０前部側にくさび受け１５に差し込み可能に形成され差し込み時にはくさび受け１５よりも後方にそれぞれ突出する上側突部３１及び下側突部３２を有する差込部３０と、本体部材２０の挿入部２５に下方が前方に傾斜して形成された傾斜保持部４０と、本体部材２０の傾斜保持部４０とくさび受け１５に差し込まれた差込部３０との間を進退可能であるとともに、前進時には傾斜保持部４０と差込部３０の下側突部３２及び上側突部３１によって固定されるとともに、後退時には前記固定が解除されるくさび部材５０とを有する。【選択図】図１
2010101056.tif 000002
【特許請求の範囲】
【請求項１】
足場材が固定された本体部材の挿入部にくさび部材を挿入することによって前記本体部材を支柱のくさび受けに対して取り外し可能に連結するための構造体であって、
前記本体部材前部側に前記くさび受けに差し込み可能に形成され差し込み時には前記くさび受けよりも後方にそれぞれ突出する上側突部及び下側突部を有する差込部と、
前記本体部材の挿入部に下方が前方に傾斜して形成された傾斜保持部と、
前記本体部材の傾斜保持部と前記くさび受けに差し込まれた差込部との間を進退可能であるとともに、前進時には前記傾斜保持部と前記差込部の下側突部及び上側突部によって固定されるとともに、後退時には前記固定が解除されるくさび部材
とを有することを特徴とする仮設足場用連結構造体。
【請求項２】
前記くさび部材が、前記固定時において、前記差込部の下側突部及び上側突部と当接する直線状側部と前記本体部材の傾斜保持部の傾斜に沿って当接する傾斜状側部を有する請求項１に記載の仮設足場用連結構造体。
【請求項３】
前記くさび部材が、後退時に本体部材の係合部に係着する抜け止め部を有する請求項１又は２に記載の仮設足場用連結構造体。
【請求項４】
前記くさび部材が、後退時に前記傾斜保持部の上端部と係合する係合部を有する請求項１ないし３のいずれか１項に記載の仮設足場用連結構造体。
【発明の詳細な説明】
【技術分野】
【０００１】
本発明は、足場材が固定された本体部材の挿入部にくさび部材を挿入することによって前記本体部材を支柱のくさび受けに対して取り外し可能に連結するための仮設足場用連結構造体の改良に関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に筋交い材もしくは水平材もしくは垂直材等の足場材を手すりとして先行して配置するように構成される。
【０００３】
上記の如く、足場材を配置する場合には、前記足場材を支柱のくさび受けに対して取り外し可能に連結するための仮設足場用連結構造体が使用される。そこで本出願人は、先に図４に示す仮設足場用連結構造体１００を提案した（例えば、特許文献１参照。）。この仮設足場用連結構造体１００は、２つの板状部材１２１，１２２よりなり足場材Ｐが固定された本体部材１２０と、支柱１１１のくさび受け１１５の穴部１１６に上方から差し込み自在に本体部材１２０に形成された固定くさび部材１３０と、本体部材１２０を構成する２つの板状部材１２１，１２２の間に形成された３つのガイド部１２３，１２４，１３２に沿って横方向に進退可能に設けられ、安全固定時にはくさび受け１１５の下部に前進され固定解除時にはくさび受け１１５の下部から後退される可動くさび部材１４０とを有する。
【０００４】
図４において、符号１３１はくさび受け１１５の穴部１１６に差し込み可能な固定くさび部１３０の差込部、１４１はくさび状に形成された可動くさび部材１４０の棒状部、１４２は可動くさび部材１４０を打ち込むための打込部、１４３は可動くさび部材の脱落を防止するための抜け止め部を表す。
【０００５】
この仮設足場用連結構造体１００では、まず、固定くさび部材１３０の差込部１３１がくさび受け１１５の穴部１１６に上方から差し込まれる。次いで、可動くさび部材１４０をガイド部１２３，１２４，１３２に沿って前進させてその前部をくさび受け１１５下部に係着させる。これにより、固定くさび部材１３０と可動くさび部材１４０とでくさび受け１１５を上下から把持して固定できるので、足場材の支柱への連結を安全かつ確実でしかも簡易に実施することができる。また、可動くさび部材１４０の前部をくさび受け１１５下部から後退させれば、前記固定を容易に解除することができる。
【０００６】
近年では、上記従来の仮設足場用連結構造体のように、足場材を支柱に対して簡単で確実に連結できることに加え、連結後の安定性をより向上させることが求められている。
【特許文献１】特開２００８−２１１６号公報
【発明の開示】
【発明が解決しようとする課題】
【０００７】
本発明は前記の点に鑑みなされたものであり、足場材の支柱への連結を簡単かつ確実に実施できるとともに、連結後の安定性をより向上させることができる仮設足場用連結構造体を提供するものである。
【課題を解決するための手段】
【０００８】
すなわち、請求項１の発明は、足場材が固定された本体部材の挿入部にくさび部材を挿入することによって前記本体部材を支柱のくさび受けに対して取り外し可能に連結するための構造体であって、前記本体部材前部側に前記くさび受けに差し込み可能に形成され差し込み時には前記くさび受けよりも後方にそれぞれ突出する上側突部及び下側突部を有する差込部と、前記本体部材の挿入部に下方が前方に傾斜して形成された傾斜保持部と、前記本体部材の傾斜保持部と前記くさび受けに差し込まれた差込部との間を進退可能であるとともに、前進時には前記傾斜保持部と前記差込部の下側突部及び上側突部によって固定されるとともに、後退時には前記固定が解除されるくさび部材とを有することを特徴とする仮設足場用連結構造体に係る。
【０００９】
請求項２の発明は、前記くさび部材が、前記固定時において、前記差込部の下側突部及び上側突部と当接する直線状側部と前記本体部材の傾斜保持部の傾斜に沿って当接する傾斜状側部を有する請求項１に記載の仮設足場用連結構造体に係る。
【００１０】
請求項３の発明は、前記くさび部材が、後退時に本体部材の係合部に係着する抜け止め部を有する請求項１又は２に記載の仮設足場用連結構造体に係る。
【００１１】
請求項４の発明は、前記くさび部材が、後退時に前記傾斜保持部の上端部と係合する係合部を有する請求項１ないし３のいずれか１項に記載の仮設足場用連結構造体に係る。
【発明の効果】
【００１２】
請求項１の発明に係る仮設足場用連結構造体によれば、足場材が固定された本体部材の挿入部にくさび部材を挿入することによって前記本体部材を支柱のくさび受けに対して取り外し可能に連結するための構造体であって、前記本体部材前部側に前記くさび受けに差し込み可能に形成され差し込み時には前記くさび受けよりも後方にそれぞれ突出する上側突部及び下側突部を有する差込部と、前記本体部材の挿入部に下方が前方に傾斜して形成された傾斜保持部と、前記本体部材の傾斜保持部と前記くさび受けに差し込まれた差込部との間を進退可能であるとともに、前進時には前記傾斜保持部と前記差込部の下側突部及び上側突部によって固定されるとともに、後退時には前記固定が解除されるくさび部材とを有するため、足場材の支柱への連結を簡単かつ確実に実施できるとともに、連結後の安定性が向上して安全性にも優れる。
【００１３】
請求項２の発明によれば、請求項１において、前記くさび部材が、前記固定時において、前記差込部の下側突部及び上側突部と当接する直線状側部と前記本体部材の傾斜保持部の傾斜に沿って当接する傾斜状側部を有するため、くさび部材をより簡単かつ確実に固定保持することができる。
【００１４】
請求項３の発明によれば、請求項１又は２において、前記くさび部材が、後退時に本体部材の係合部に係着する抜け止め部を有するため、くさび部材の脱落を防止することができ、作業中の安全性を向上させることができる。
【００１５】
請求項４の発明によれば、請求項１ないし３において、前記くさび部材が、後退時に前記傾斜保持部の上端部と係合する係合部を有するため、後退位置でくさび部材を保持することが可能となり、作業性や安全性をより向上させることができる。
【発明を実施するための最良の形態】
【００１６】
以下添付の図面に従ってこの発明を詳細に説明する。
図１は本発明の一実施例に係る仮設足場用連結構造体の斜視図、図２は仮設足場用連結構造体のくさび部材が固定解除された状態を表す概略側面図、図３は仮設足場用連結構造体のくさび部材が固定された状態を表す概略側面図である。
【００１７】
図１ないし図３に示す本発明の一実施例に係る仮設足場用連結構造体１０は、足場材Ｐが固定された本体部材２０の挿入部２５にくさび部材５０を挿入することによって本体部材２０を支柱１１のくさび受け１５に対して取り外し可能に連結するものである。ここで、足場材Ｐは、仮設足場用の筋交い材、水平材、垂直材等である。
【００１８】
本体部材２０は、２つの板状部材２１，２２よりなり、差込部３０と、傾斜保持部４０とを有し、後部側において足場材Ｐが固定される。実施例では、足場材Ｐの固定部Ｐ１が各板状部材２１，２２によって狭持されるとともに、各板状部材２１，２２を貫通する固定ピンＰ２によって固定されている。また、実施例の本体部２０では、２つの板状部材２１，２２と、差込部３０と、傾斜保持部４０とによって挿入部２５が構成される。なお、図中の符号２３，２４は板状部材２１，２２の上部に後方に突出して形成された差込部３０の取付部、２６，２７は板状部材２１，２２の取付部２３，２４の下方側に形成された係合部である。
【００１９】
差込部３０は、本体部材２０前部側にくさび受け１５に差し込み可能に形成され、差し込み時には、くさび受け１５よりも後方にそれぞれ突出する上側突部３１及び下側突部３２を有する。実施例では、上部が２つの板状部材２１，２２の取付部２３，２４に狭持されて溶接されている。
【００２０】
傾斜保持部４０は、本体部材２０の挿入部２５に下方が前方に傾斜して形成された部分である。この傾斜保持部４０としては、本体部材２０の前方に下方が傾斜した面４５を形成するものであればよい。実施例では、図示のように、各板状部材２１，２２の間に狭持して溶接される板部材からなる。
【００２１】
くさび部材５０は、本体部材２０の傾斜保持部２５とくさび受け１５に差し込まれた差込部３０との間を進退可能であるとともに、前進時には傾斜保持部４０と差込部３０の下側突部３２及び上側突部３１によって固定されるとともに、後退時には前記固定が解除されるように構成される。実施例のくさび部材５０は、前記固定時において、差込部３０の下側突部３２及び上側突部３１と当接する直線状側部５１と本体部材２０の傾斜保持部４０の傾斜に沿って当接する傾斜状側部５２を有する。
【００２２】
また、くさび部材５０は、後退時に本体部材２０の係合部２６，２７に係着する抜け止め部５３を有する。抜け止め部５３は、くさび部材５０の先端近傍に貫通して固着されたピン状部材からなり、くさび部材５０の後退時に本体部材２０からの脱落が防止される。なお、実施例では、本体部材２０の係合部２６，２７がピン状部材からなる抜け止め部５３の直径よりわずかに大きい幅の凹部として形成されているため、抜け止め部５３と係合部２６，２７との係着時にくさび部材５０の先端部分が左右に大きくぶらつくことがなく、所定位置に保持される。
【００２３】
さらに、くさび部材５０は、後退時に傾斜保持部４０の上端部と係合する係合部５４を有する。実施例の係合部５４は、抜け止め部５３より上方の傾斜状側部５２の下端部近傍に形成され、くさび部材５０の後退時に、抜け止め部５３が本体部材２０の係合部２６，２７に係着する前に傾斜保持部４０の上端部と係合可能に構成されている。これにより、くさび部材５０の固定解除時に後退位置でくさび部材５０を保持することができる。
【００２４】
次に、当該仮設足場用連結構造体１０による足場材Ｐの支柱１１への連結方法について図２及び図３を用いて説明する。足場材Ｐを支柱１１へ連結する際には、まず、図２に示すように、仮設足場用連結構造体１０の差込部３０がくさび受け１５の上方から差し込まれる。その際、差込部３０の下側突部３２を含む先端部分がくさび受け１５の下方から突出した状態となり、上側突部３１を含む後端部分がくさび受け１５の上方から突出した状態となる。
【００２５】
この差し込み時において、仮設足場用連結構造体１０のくさび部材５０は、図２に示すように、係合部５４が傾斜保持部４０の上端部に係合されて後退位置で保持される。そのため、くさび部材５０が意図せず前進することを防止することができる。また、特に、係合部５４を傾斜保持部４０の上端部に係合させた際には、同時に抜け止め部５３が本体部材２０の係合部２６，２７に係着されるため、くさび部材５０のぶらつきを防止することができ、所定の後退位置で固定保持することが可能となる。従って、差込部３０をくさび受け１５に差し込む際にくさび部材５０が妨げになることがなく、作業がし易くなって、しかも安全に行うことができる。
【００２６】
続いて、くさび部材５０の係合部５４と傾斜保持部４０との係合が解除され、図３に示すように、くさび部材５０が本体部材２０の挿入部２５内で前進方向（図示の例では下方向）に移動される。この時、くさび部材５０は、差込部３０の下側突部３２及び上側突部３１と当接する直線状側部５１と本体部材２０の傾斜保持部４０の傾斜に沿って当接する傾斜状側部５２を有するため、くさび部材５０を所定位置まで前進させるだけで、差込部３０の上下の突部３１，３２と傾斜保持部４０とによってくさび部材５０を容易かつ確実に固定保持することができる。なお、くさび部材５０を前進させ固定する際には、ハンマー等でくさび部材５０の後端側を打ち込むことによって、より強固に固定することができる。
【００２７】
このように、差込部３０をくさび受け１５に差し込み、くさび部材５０を前進させて固定することにより、仮設足場用連結構造体１０による足場材Ｐの支柱１１への連結が完了する。この連結状態では、差込部３０とくさび部材５０がくさび受け１５の側部を内と外の両側から把持するため、支柱１１との連結後のがたつきを抑制することができ、安定性が向上する。しかも、連結時には差込部３０の上側突部３１及び下側突部３２がそれぞれくさび受け１５よりも後方に突出してくさび部材５０の直線状側部５１と当接しているため、当該仮設足場用連結構造体１０がくさび受け１５から外れることがなく、安全性にも優れる。従って、当該仮設足場用連結構造体１０を用いることにより、足場材Ｐを支柱に対して極めて容易かつ確実に連結させることができ、さらに、連結時の安定性が向上して安全性にも優れる。
【００２８】
また、連結状態を解除する際には、まず、固定状態のくさび部材５０を後退方向（図示の例では上方向）に移動させて、くさび部材５０の直線状側部５１と差込部３０の上下の突部３１，３２と、傾斜状側部５２と傾斜保持部４０とをそれぞれ離隔し、前記固定を解除する。その際、ハンマー等を用いてくさび部材５０の先端側を打ち込むことによって、より簡単に解除することができる。
【００２９】
このようにして後退されたくさび部材５０は、抜け止め部５３が本体部材２０の係合部２６，２７と係着して脱落が防止されるため、作業中の部品落下等が発生することがなく、安全である。さらに、差込部３０のくさび受け１５への差し込み時と同様に、くさび部材５０の係合部５４を傾斜保持部４０の上端部に係合させれば、くさび部材５０が邪魔になることがなく作業性が向上し、安全性も向上する。そして、くさび部材５０を後退させた状態から差込部３０をくさび受け１５から抜去させるだけで、当該仮設足場用連結構造体１０の支柱１１からの取り外しを容易に行うことができる。
【００３０】
なお、本発明の仮設足場用連結構造体は、前述の実施例のみに限定されるものではなく、発明の趣旨を逸脱しない範囲において構成の一部を適宜に変更して実施することができる。例えば、実施例では本体部材を２つの板状部材とし、挿入部を各板状部材と差込部と傾斜保持部とで構成したが、これに限らず、本体部材をブロック体とし、くさび部材５０が挿入可能な貫通穴を形成して挿入部として構成することができる。その際、傾斜保持部は、挿入部を構成する貫通穴の内壁部分の下方を前方に傾斜させて形成することも可能であり、貫通穴内に実施例と同様の板部材からなる傾斜保持部を形成することもできる。
【００３１】
また、実施例では、板部材からなる傾斜保持部４０を板状部材２１，２２の間に狭持して溶接する構成としたが、各板状部材２１，２２に傾斜状の貫通穴を設けて、この貫通穴に板部材からなる傾斜保持部４０をはめ込んで溶接してもよい。このように構成すれば、傾斜保持部４０の取り付けを極めて容易に行うことが可能となる。
【図面の簡単な説明】
【００３２】
【図１】本発明の一実施例に係る仮設足場用連結構造体の斜視図である。
【図２】仮設足場用連結構造体のくさび部材が固定解除された状態を表す概略側面図である。
【図３】仮設足場用連結構造体のくさび部材が固定された状態を表す概略側面図である。
【図４】従来の仮設足場用連結構造体の概略側面図である。
【符号の説明】
【００３３】
１０  仮設足場用連結構造体
１１  支柱
１５  くさび受け
２０  本体部材
２１，２２  板状部材
３０  差込部
３１  上側突部
３２  下側突部
４０  傾斜保持部
５０  くさび部材
Ｐ    足場材
【図１】
2010101056.tif 000003
【図２】
2010101056.tif 000004
【図３】
2010101056.tif 000005
【図４】
2010101056.tif 000006